(57)【特許請求の範囲】
【請求項１】
支持体上の片面に光学的可変素子（ＯＶＤ）を有する偽造防止用転写箔において、前記光学的可変素子（ＯＶＤ）の少なくとも一部が、反射光から得られる光学的効果によるパターンと、透過光による明暗の別パターンとを共に有し、前記光学的可変素子（ＯＶＤ）が、少なくとも２層以上の、金属光沢を有する薄膜によるＯＶＤ効果層を有しており、且つ、支持体側に近い一層のＯＶＤ効果層が、支持体側から見て、他のＯＶＤ効果層を覆うように配置されており、更に前記ＯＶＤ効果層全体の可視光線透過率が５％〜８０％の範囲内であることを特徴とする偽造防止用転写箔。
【請求項２】
前記光学的可変素子（ＯＶＤ）が形成された領域の輪郭あるいは模様が、文字または絵柄のいずれかを表す形状に形成されている事を特徴とする請求項１に記載の偽造防止用転写箔。
【請求項３】
前記ＯＶＤ効果層が、連続皮膜でない複数の不連続な微小な島状の金属薄膜として設けられており、且つ、前記島状金属薄膜の少なくとも一部分が、文字又は絵柄のいずれかを表す形状或いは輪郭を形成している事を特徴とする請求項１又は２のいずれか１項に記載の偽造防止用転写箔。
【請求項４】
前記ＯＶＤ効果層が、金属光沢インキによって形成されており、且つ、前記金属光沢インキの一部分が、文字又は絵柄のいずれかを表す形状或いは輪郭を形成している事を特徴とする請求項１又は２のいずれか１項に記載の偽造防止用転写箔。
【請求項５】
請求項１〜４記載のいずれか１項に記載の偽造防止用転写箔を、媒体に転写した事を特徴とする偽造防止媒体。
【発明の詳細な説明】
【技術分野】
【０００１】
本発明は、転写箔に関するものであり、詳しくは商品券や株券等の有価証券、或いはＩＤカードや証明書等の真正さを証明する事が必要な、透明または半透明な物品に転写して利用する事が可能な偽造防止用転写箔及び偽造防止媒体に関するものである。
【背景技術】
【０００２】
近年、偽造防止手段として、光の干渉や回折や反射などの光学的効果を用いて立体画像や特殊な装飾画像を表現し得る光学的可変素子（ＯＶＤ：Ｏｐｔｉｃａｌ  Ｖａｒｉａｂｌｅ  Ｄｅｖｉｃｅ）（以下の説明ではＯＶＤと称する場合がある）が利用されている。ＯＶＤの例としては、ホログラム、回折格子、見る角度により色の変化（カラーシフト）を生じる多層薄膜等が挙げられる。これらＯＶＤは、高度な製造技術を要する事と、独特な視覚効果を有する事から、有効な偽造防止手段としてクレジットカードや有価証券や証明書類等に使用されている。
【０００３】
ＯＶＤは偽造が難しく、且つ真贋の確認が容易な偽造防止手段であるが、近年では、似て非なるものを使用した偽造品を見抜く事ができない例が増加している。ＯＶＤ画像を正確に複製する事は、設備面や技術面に於いて困難であるが、一目では本物と区別できないような似た画像であれば、偽造する事は必ずしも不可能ではない。この問題に対し、確実に本物と贋物を区別する手法として、例えば、特許文献１ではＯＶＤへ紫外光発光タイプの蛍光インキからなる印刷層を設けた構成が開示されている。また、特許文献２では、赤外光吸収性材料からなる情報パターンを有する印刷層を設けた構成が開示されている。これらの構成では、紫外光や赤外光を照射しその発光や光吸収を観察、測定する事によって真偽判定を可能としている。
【特許文献１】特開平７−１９９７８３号公報
【特許文献２】特開２００７−１３６９０７号広報
【発明の開示】
【発明が解決しようとする課題】
【０００４】
しかしながら、前述した特許文献１及び特許文献２の構成では、真偽判定のために紫外光や赤外光を発する機器等を必要とするため、そのような機器を使用できる状況以外での真偽判定は困難である。
【０００５】
本発明の目的は、従来の偽造防止転写箔より偽造防止効果が高く、且つ、真偽判定のために特殊な機器を必要としない偽造防止転写箔を提供することにある。
【課題を解決するための手段】
【０００６】
本発明の請求項１に係る発明は、支持体上の片面に光学的可変素子（ＯＶＤ）を有する偽造防止用転写箔において、前記光学的可変素子（ＯＶＤ）の少なくとも一部が、反射光から得られる光学的効果によるパターンと、透過光による明暗の別パターンとを共に有し、前記光学的可変素子（ＯＶＤ）が、少なくとも２層以上の、金属光沢を有する薄膜によるＯＶＤ効果層を有しており、且つ、支持体側に近い一層のＯＶＤ効果層が、支持体側から見て、他のＯＶＤ効果層を覆うように配置されており、更に前記ＯＶＤ効果層全体の可視光線透過率が５％〜８０％の範囲内であることを特徴とする偽造防止用転写箔である。
【０００７】
また本発明の請求項２に係る発明は、前記光学的可変素子（ＯＶＤ）が形成された領域の輪郭あるいは模様が、文字または絵柄のいずれかを表す形状に形成されている事を特徴とする請求項１に記載の偽造防止用転写箔である。
【０００９】
また本発明の請求項３に係る発明は、前記ＯＶＤ効果層が、連続皮膜でない複数の不連続な微小な島状の金属薄膜として設けられており、且つ、前記島状金属薄膜の少なくとも一部分が、文字又は絵柄のいずれかを表す形状或いは輪郭を形成している事を特徴とする請求項１又は２のいずれか１項に記載の偽造防止用転写箔である。
【００１０】
また本発明の請求項４に係る発明は、前記ＯＶＤ効果層が、金属光沢インキによって形成されており、且つ、前記金属光沢インキの一部分が、文字又は絵柄のいずれかを表す形状或いは輪郭を形成している事を特徴とする請求項１又は２のいずれか１項に記載の偽造防止用転写箔である。
【００１１】
次に本発明の請求項５に係る発明は、請求項１〜４記載のいずれか１項に記載の偽造防止用転写箔を、媒体に転写した事を特徴とする偽造防止媒体である。
【発明の効果】
【００１２】
本発明は以上のような構成であるから、下記に示す如き効果がある。即ち請求項１に係る発明によれば、ＯＶＤの反射光から得られる光学的効果に加え、透過光による明暗のパターンによっても真偽判定が可能である。
【００１３】
また請求項２に記載の発明によれば、前述した反射光と透過光のパターンについて、形成する文字や絵柄の工夫次第で、ＯＶＤの意匠性を高めることが可能となる。
【００１４】
また請求項１に記載の発明によれば、ＯＶＤは２層以上の金属薄膜によるＯＶＤ効果層を形成する事で作製可能であり、且つ、透過光による明暗パターンの隠蔽効果をより高くする事が可能となる。
【００１５】
また請求項３に記載の発明によれば、ＯＶＤ効果層を、連続皮膜でない複数の不連続な島状の金属薄膜で設ける事で、光透過率が高いＯＶＤ効果層を作製する事が容易となる。また、複数の不連続な島状の金属薄膜で形成したパターンを、文字や絵柄等に工夫して設ける事で、ＯＶＤの意匠性を高める事が可能となる。
【００１６】
また請求項４に記載の発明によれば、金属光沢インキを用いる事で、ＯＶＤ効果層をグラビア印刷法等の公知の印刷方法によって容易に形成する事も可能となる。また、蒸着法に比べて低コストになる。
【００１７】
次に請求項５に記載の発明によれば、前記偽造防止転写箔を、遮光性ではなく光線透過性のある、紙やフィルム、カード等の媒体に転写する事により、転写した対象物へ偽造防止効果を付与する事が可能となる。
【発明を実施するための最良の形態】
【００１８】
以下、本発明の偽造防止用転写箔の一実施形態を、図面を参照にして詳細に説明する。
【００１９】
図１は、本発明の偽造防止用転写箔の一実施形態の第１の構成を示す断面図である。図１に於ける偽造防止転写箔は、支持体１から順に、全面に設けられた保護層２とＯＶＤ形成層３及びＯＶＤ効果層ａ４、一部に設けられたＯＶＤ効果層ｂ５、及び全面に設けられ
た接着層１１を有している。
【００２０】
図７は、本発明の偽造防止転写箔の実施例で用いた、反射光による光学的効果で生成するパターン図である。支持体１側から光をあてて支持体１側から反射光を観察すると、ＯＶＤ形成層３とＯＶＤ効果層ａ４による光学的効果パターン３１が確認できた。
【００２１】
図８は、本発明の偽造防止転写箔の実施例で用いた透過光により生成するパターン図である。接着剤側からの透過光を支持体１側から観察すると、ＯＶＤ効果層ａ４とＯＶＤ効果層ｂ５による透過光の明暗パターン３２が確認できる。尚、ここに示した図８では、図７との差を分かりやすく示す為に、ＯＶＤ形成層３とＯＶＤ効果層ａ４による光学的効果パターン３１をそのまま示しているが、実施した透過光による観察時は、光学的効果パターン３１は観察できない。
【００２２】
図２は、本発明の偽造防止用転写箔の一実施形態の第２の構成を示す断面図である。ＯＶＤ効果層４が部分的に設けられており、ＯＶＤ効果層ａ４の一部に接するようにＯＶＤ効果層ｂ５が設けられている。その他は図１に示す偽造防止転写箔と同様の構成である。
【００２３】
図３は、本発明の偽造防止用転写箔の一実施形態の第３の構成を示す断面図である。図１で示した構成の中で、ＯＶＤ効果層ａ４と接着層１１の間に於ける、ＯＶＤ効果層ｂ５の設けられていない部分に、ＯＶＤ効果層ｃ６を設けた構成である。このＯＶＤ効果層ｃ６はＯＶＤ効果層ａ４とＯＶＤ効果層ｂ５と接着層１１の全てに接し、支持体１からＯＶＤ効果層ｂ５までの厚みが均一となるように設けられている。このようにＯＶＤ効果層ｃ６を設ける事で、転写箔各層の厚みが均一になり、図１に示した構成よりも光学的な効果がより安定し偽造防止効果を高める事ができる。
【００２４】
図４は、本発明の偽造防止用転写箔の一実施形態の第４の構成を示す断面図である。図２に示したＯＶＤ形成層３と接着層１１の間の、ＯＶＤ効果層ａ４およびＯＶＤ効果層ｂ５の設けられていない部分に、ＯＶＤ効果層ｃ６を設けた構成である。このＯＶＤ効果層ｃ６はＯＶＤ効果層ａ４とＯＶＤ効果層ｂ５と接着層１１の全てに接し、支持体１からＯＶＤ効果層ｂ５までの厚みが均一となるように設けられている。このようにＯＶＤ効果層ｃ６を設ける事で、転写箔各層の厚みが均一になり、図２に示した構成よりも光学的な効果がより安定し偽造防止効果を高める事ができる。
【００２５】
図５は、本発明の偽造防止用転写箔の一実施形態の第５の構成を示す断面図である。図４に示したＯＶＤ効果層ｃ６を着色して、着色ＯＶＤ効果層ｄ６７とした構成である。この着色ＯＶＤ効果層ｄ６７を設けることで、透過光の明暗パターンに色合いを持たせる事が可能であり、図４に示した構成よりも更に意匠性を高める事ができる。
【００２６】
図６は、本発明の偽造防止用転写箔の一実施形態の第６の構成を示す断面図である。図１に示した構成の、支持体１と保護層２の間に剥離層５５を設けた構成である。このように、転写条件等により支持体１と保護層２の剥離が困難である場合には、本発明の特徴を妨げない範囲で、支持体１と保護層２の間に剥離層５５を設ける事ができる。
【００２７】
以下、本発明の偽造防止用転写箔の一実施形態の構成の各層について詳細に説明する。
【００２８】
＜支持体＞
支持体１としては、厚みが安定しており、且つ耐熱性の高いポリエチレンテレフタレート樹脂フィルムを用いるのが一般的であるが、これに限るものではない。その他の材料としては、ポリエチレンナフタレート樹脂フィルム、ポリイミド樹脂フィルム等が耐熱性の高いフィルムとして知られており、同様の目的で使用する事が可能である。また、他のフ
ィルム、例えば、ポリエチレン、ポリプロピレン、耐熱塩化ビニル等の材料でも、本発明の偽造防止用転写箔の構成として使用される塗液の塗工条件や乾燥条件によっては使用可能である。また、転写層への影響が無い限りは、支持体に対し、帯電防止処理やマット加工、エンボス処理等の加工をしても良い。
【００２９】
＜保護層＞
保護層２は、支持体１から剥がれる層であり、剥離した後はＯＶＤ形成層３を覆い最表面に露出する。このため保護層２は機械的損傷や携帯時の擦り等の外的要因による損傷、生活物質（酒、水等）に対する耐性を備え、ＯＶＤ形成層３を保護する役目を果たしている。これらの性能及び耐性を有していれば、保護層２の材料として従来から公知の透明性の、熱可塑性樹脂、熱硬化性樹脂、紫外線或いは電子線硬化性樹脂のいずれの材料も使用する事ができる。その例としては、アクリル系樹脂、セルロース系樹脂、ポリエーテル系樹脂、ポリイミド樹脂、ポリカーボネート樹脂、ポリアミドイミド樹脂等の熱可塑性樹脂やウレタン系硬化樹脂や、メラミン硬化樹脂、エポキシ硬化樹脂等の熱硬化樹脂、エポキシ（メタ）アクリル、ウレタン（メタ）クリレート等の紫外線或いは電子線硬化樹脂が挙げられるが、本発明ではこれらに限定されるものではない。
【００３０】
また、転写条件等により支持体１と保護層２の剥離が困難である場合には、例えば図６に示すように、支持体１と保護層２の間に別途従来既知の剥離層５５を設けても良く、剥離が軽すぎる場合には同様に従来既知の易接着処理を行って剥離を調整しても良い。更に、保護層２には、耐摩擦性を付与する目的で、既知の滑剤を適宜選択して添加する事が可能である。
【００３１】
＜ＯＶＤ形成層＞
ＯＶＤ形成層は、光回折等の光学的効果を発現する層であり、レリーフ型のＯＶＤの場合には、その主となる材料は熱可塑性樹脂、熱硬化性樹脂、紫外線或いは電子線硬化性樹脂のいずれであっても良い。
【００３２】
ＯＶＤ形成層に使用可能な材料は、例えば、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、エポキシ（メタ）アクリル、ウレタン（メタ）アクリレート等の紫外線或いは電子線硬化樹脂を、単独もしくはこれらを複合して使用できる。また、前記以外の樹脂であっても、ＯＶＤ画像を形成可能であれば適宜使用できる。
【００３３】
＜ＯＶＤ効果層ａ＞
ＯＶＤ効果層ａはＯＶＤ形成層の光学的効果を高めるため、ＯＶＤ形成層を構成する材料とは屈折率の異なる材料からなる。また、本発明の偽造防止転写箔は、検証時に透過光を利用する媒体であるため、光反射性と光透過性の両性質を有した材料をある一定の厚さにて設ける必要がある。用いる材料としては、ＯＶＤ形成層３と屈折率が異なり、且つ反射効果の高いＡｌ、Ｓｎ、Ｃｒ、Ｎｉ、Ｃｕ、Ａｕ等の金属材料が挙げられる。
【００３４】
このＯＶＤ効果層ａは全面に設けられていても良いが、例えば図７のような文字や絵柄等のパターンで形成されても良い、この場合、意匠性を向上すると共に加工を複雑にし、より高い偽造防止効果を付与する事ができる。
【００３５】
ＯＶＤ効果層ａをパターン状に設ける手法としては、溶解性の樹脂をパターン状に形成した後に金属薄膜を設け、溶解性樹脂とその部分の金属薄膜層を洗浄して除去する方法や、金属薄膜層に耐酸或いは耐アルカリ性樹脂を用いてパターン状に印刷した後、金属薄膜を酸やアルカリでエッチングする方法、或いは光を露光する事によって、溶解する或いは溶解し難くなる樹脂材料を塗布し、所望のパターン状のマスク越しに露光した後、不要部分を洗浄或いはエッチングで除去する方法等が挙げられる。以上は一例であり、これらに限定されるものではなく、公知の部分的に金属薄膜を形成する技術であれば適宜利用可能である
また、ＯＶＤ効果層ａをパターン状に設ける別の手法としては、金属光沢インキによってＯＶＤ効果層ａを形成する方法がある。すなわち、金属光沢インキの一部分で、文字又は絵柄のいずれかを表す形状或いは輪郭を形成する。ここで、金属光沢インキは金属粉または金属微粒子が有機高分子樹脂中に分散されているもので、用いられる金属粉としては、例えば、アルミペースト、銅と亜鉛の金属粉末であるブロンズパウダー等が挙げられる。用いられる有機高分子樹脂としては、例えば、ポリ塩化ビニル系、塩化ビニルー酢酸ビニル共重合体等の熱可塑性樹脂や、メラミン系、尿素系等の熱硬化性高分子樹脂等が挙げられる。また、これらの有機高分子樹脂を溶解する有機溶剤としては、例えば、酢酸エチル、酢酸ブチルなどのエステル類、トルエン、キシレンなどの芳香族炭化水素類等を単独または任意に配合して用いる。
【００３６】
＜ＯＶＤ効果層ｂ＞
ＯＶＤ効果層ｂはＯＶＤ効果層ａと同様の金属材料または金属光沢インキからなり、ＯＶＤ効果層ａとは異なる文字や絵柄等のパターンで形成する。ＯＶＤ効果層ａが、既にある特定の文字や絵柄等のパターンで形成されている場合は、図２に示すように、ＯＶＤ効果層ｂのパターンが、支持体１側から見た場合にＯＶＤ効果層ａのパターンに隠れるように設けなくてはならない。即ちＯＶＤ効果層ｂは、ＯＶＤ形成層３や保護層２と接しないように設ける必要がある。
【００３７】
ＯＶＤ効果層ａとＯＶＤ効果層ｂの膜厚は、金属薄膜層を用いる場合は、材料の光透過性や反射性により、０．１〜１００ｎｍで形成される。また、金属光沢インキを使用する場合には、金属薄膜層と同等の光透過性又は反射性が得られる膜厚とする。ここで、ＯＶＤ効果層ａは少なくとも１０％以上８５％以下の光透過性を有している事が望ましく、またＯＶＤ効果層ｂは、ＯＶＤ効果層ａとＯＶＤ効果層ｂが複合した場合に、ＯＶＤ効果層ａ単独での光線透過率と比較して光透過率が５％以上低くなるように設ける必要がある。全体で５％以下の透過率では画像が暗く認識しづらくなる。また８０％以上ではＯＶＤ効果層ａの反射でＯＶＤ効果層ｂを隠すことが難しくなる。
【００３８】
このようにＯＶＤ効果層ｂを形成する事により、支持体１側から本発明による偽造防止転写箔に向けて光を照射し、支持体１方向から観察した場合、ＯＶＤ効果層ｂのパターンは、ＯＶＤ効果層ａの光反射によって隠蔽される。また、逆側から光を照射し支持体１側より観察した場合、ＯＶＤ効果層ｂのパターン形状はＯＶＤ効果層ａと複合した透過光明暗パターンとして観察される。
【００３９】
ＯＶＤ効果層ａやＯＶＤ効果層ｂの膜厚によっては、図３や図４に示すように、パターン状に設けたＯＶＤ効果層ａやＯＶＤ効果層ｂの間を埋めるように、光透過性の高い材料からなるＯＶＤ効果層ｃを設けても良い。用いる材料としては、例えばＴｉＯ2、Ｓｉ2Ｏ3、ＳｉＯ、Ｆｅ2Ｏ3、ＺｎＳ等が挙げられる。ＯＶＤ効果層ｃを設ける事によって転写箔全体の厚みが均一となり、ＯＶＤ効果層ｂのパターン隠蔽効果が更に高くなる。
【００４０】
＜接着層＞
接着層１１は、本発明の偽造防止転写箔を任意の偽造防止媒体に形成するためのものである。ホットスタンプ等を用いて熱及び圧力で任意の対象物へ接着・転写させる。接着層を設ける方法としては、グラビア印刷法やスクリーン印刷法、オフセット印刷法等の公知の手法が適宜用いられる。
【００４１】
本発明による偽造防止転写箔の使用目的によっては、意匠性を向上すべく、ＯＶＤ効果層ｂとＯＶＤ効果層ａとの透過光明暗パターンを妨げない範囲でＯＶＤ層ｃ等を着色する事も可能である。また各層の接着性を鑑み、各層間に接着アンカー層を設ける事も可能である。
【実施例】
【００４２】
以下に、本発明の具体的実施例を説明する。
【００４３】
＜実施例＞
厚さ２５μｍの透明なＰＥＴ（ポリエチレンテレフタレートフィルム）からなる支持体１の片面に、以下の構成からなる偽造防止転写箔を形成した。
【００４４】
まず保護層として、下記の配合比からなる組成物をグラビア印刷法により、塗布厚１．０μｍ、乾燥温度１１０℃で塗布し形成した。
・アクリル樹脂                                          ３０部
・トルエン                                              ４０部
・メチルエチルケトン                                    ４０部
・メチルイソブチルケトン                                ２０部
次にＯＶＤ形成層として、下記の配合比からなる組成物をグラビア印刷法によって、塗布厚１．０μｍ、乾燥温度１１０℃で塗布し、図７に示した光学的効果パターン３１に対応するＯＶＤレリーフパターンをロールエンボス加工で形成した。
・塩化ビニル−酢酸ビニル共重合体とウレタン樹脂の混合物  ２５部
・メチルエチルケトン                                    ７０部
・トルエン                                              ３０部
次にＯＶＤ効果層ａとして、真空蒸着法を用いて膜厚３０ｎｍのＡｌ薄膜層を全面に設けた後、図８に示す絵柄３２のパターンマスクを一時的に設けて、再び真空蒸着法により膜厚３０ｎｍのＡｌ薄膜層をパターン状に形成してＯＶＤ効果層ｂ５を設けた。
【００４５】
更に接着層１１として、下記の配合比からなる組成物をグラビア法によって、塗布厚４．０μｍ、乾燥温度１１０℃で塗布して形成した。
・アクリル樹脂                                          ２０部
・塩化ビニル酢酸ビニル共重合樹脂                          ５部
・トルエン                                                ５０部
・メチルエチルケトン                                      ５０部
以上の構成で作製した偽造防止転写箔を、ホットスタンプ機を用いて温度１４０℃、圧力２５０Ｋｇ／ｍ2で、重さ６４ｇ／ｍ2の紙に転写し、偽造防止媒体とした。
【００４６】
作製した偽造防止媒体について、白色点光源にて反射光と透過光を観察すると、反射光ではＯＶＤ形成層３のレリーフ回折パターンとＯＶＤ効果層ａ４による図７に示したような光学的効果パターン３１が見られ、ＯＶＤ効果層ｂ５の明暗パターンは確認できなかったのに対し、透過光による観察ではＯＶＤ効果層ｂ５の図８に示した明暗パターン３２を確認する事ができた。
【００４７】
以上、本発明によれば、ＯＶＤの反射光から得られる光学的効果に加え、透過光による明暗のパターンによっても真偽判定が可能な偽造防止転写箔及びそれを転写して成る造防止媒体が作製可能である。
【図面の簡単な説明】
【００４８】
【図１】本発明の偽造防止用転写箔の一実施形態の第１の構成を示す断面図。
【図２】本発明の偽造防止用転写箔の一実施形態の第２の構成を示す断面図。
【図３】本発明の偽造防止用転写箔の一実施形態の第３の構成を示す断面図。
【図４】本発明の偽造防止用転写箔の一実施形態の第４の構成を示す断面図。
【図５】本発明の偽造防止用転写箔の一実施形態の第５の構成を示す断面図。
【図６】本発明の偽造防止用転写箔の一実施形態の第６の構成を示す断面図。
【図７】本発明の偽造防止転写箔の実施例の、反射光による光学的効果パターン図。
【図８】本発明の偽造防止転写箔の実施例の、透過光により生成するパターン図
【符号の説明】
【００４９】
１・・・支持体      ２・・・保護層      ３・・・ＯＶＤ形成層
４・・・ＯＶＤ効果層ａ      ５・・・ＯＶＤ効果層ｂ      ６・・・ＯＶＤ効果層ｃ
１１・・・接着層
３１・・・ＯＶＤ形成層とＯＶＤ効果層ａによる光学的効果パターン
３２・・・ＯＶＤ効果層ａとＯＶＤ効果層ｂによる透過光の明暗パターン
５５・・・剥離層      ６７・・・着色ＯＶＤ効果層ｄ
【図１】
0005076827.tif 000002
【図２】
0005076827.tif 000003
【図３】
0005076827.tif 000004
【図４】
0005076827.tif 000005
【図５】
0005076827.tif 000006
【図６】
0005076827.tif 000007
【図７】
0005076827.tif 000008
【図８】
0005076827.tif 000009